(57)【要約】【課題】洗浄力に優れる布材を連続的、かつ迅速に製作できると共に、高い洗浄力を有する布材からなる洗浄ブラシを提供する。【解決手段】被洗浄面に付着した汚れ等を洗浄する為の洗浄ブラシにおいて、前記洗浄ブラシは台座、チャンネルブラシ、止め金具より形成されてあり、前記チャンネルブラシのブラシに、平板状の織布あるいは不織布が使用されてあると共に、前記チャンネルブラシを前記台座に巻き付けた後、前記止め金具にて固定されてあるものである。【選択図】        図１
2004321748.tif 000002
【特許請求の範囲】
【請求項１】
被洗浄面に付着した汚れ等を洗浄する為の洗浄ブラシにおいて、前記洗浄ブラシは台座、チャンネルブラシ、止め金具より形成されてあり、前記チャンネルブラシのブラシに、平板状の織布あるいは不織布が使用されてあると共に、前記チャンネルブラシを前記台座に巻き付けた後、前記止め金具にて固定されてあることを特徴とする洗浄ブラシ。
【請求項２】
請求項１記載の構成よりなる洗浄ブラシにおいて、前記チャンネルブラシのブラシに、複数のスリットを有する平板状の織布あるいは不織布が使用されてあることを特徴とする洗浄ブラシ。
【請求項３】
請求項１記載の構成よりなる洗浄ブラシにおいて、前記チャンネルブラシのブラシに、中空の概円筒形状、概円錐形状、概角筒形状、あるいは概角錐形状に形成された織布あるいは不織布が使用されてあることを特徴とする洗浄ブラシ。
【請求項４】
請求項１あるいは２記載の構成よりなる洗浄ブラシにおいて、前記チャンネルブラシのブラシに、重ね合わせて折り込んだ平板状の織布あるいは不織布が使用されてあることを特徴とする洗浄ブラシ。
【請求項５】
請求項１から４記載の構成よりなる洗浄ブラシにおいて、前記チャンネルブラシのブラシに、織布あるいは不織布が使用されてあると共に、天然樹脂発泡体、合成樹脂発泡体、編物、天然繊維、化学繊維、天然樹脂、合成樹脂、天然ゴム、合成ゴム、ゲル材、フィルム材、メッシュ材の内、少なくとも１種類以上の前記材質が使用されてあることを特徴とする洗浄ブラシ。
【発明の詳細な説明】
【０００１】
【発明の属する技術分野】
本発明は、被洗浄面に付着した汚れ等を洗浄するための洗浄ブラシに関するものである。
【０００２】
【従来の技術】
洗浄ブラシについては、さまざまな改良がなされ、例えば、洗浄ブラシとして、特開２００３−３４４号の如く、チャンネルブラシのブラシに、長尺の発泡材が使用されてあると共に、チャンネルブラシを台座に巻き付けた後、止め金具にて固定されてある技術が、開示されてある。また、洗車ブラシ及び自動洗車機として、登録実用新案第３０４５１７０号の如く、束ね部を有する長尺の布帛をブラシ軸の周囲に螺旋状に巻き付け、束ね部がブラシ軸の周囲に中心軸方向千鳥に固定されてある技術が、開示されてある。しかしながら、従来の技術においては、登録実用新案第３０４５１７０号の如く、布帛はブラシ軸にたいして固定されてあるか、あるいは特開２００３−３４４号の如く、チャンネルブラシのブラシに使用されてある材質としては、長尺の発泡材が使用されてあった。その為、洗浄力に優れる布材を連続的、かつ迅速に製作できると共に、高い洗浄力を有する布材からなる洗浄ブラシが求められていた。
【０００３】
【発明が解決しようとする課題】
本発明は、上記のような課題を解決するためになされたもので、洗浄力に優れる布材を連続的、かつ迅速に製作できると共に、高い洗浄力を有する布材からなる洗浄ブラシを提供することを目的としている。
【０００４】
【課題を解決するための手段】
本発明にかかる洗浄ブラシは、次のように構成したものである。
（１）被洗浄面に付着した汚れ等を洗浄する為の洗浄ブラシにおいて、前記洗浄ブラシは台座、チャンネルブラシ、止め金具より形成されてあり、前記チャンネルブラシのブラシに、平板状の織布あるいは不織布が使用されてあると共に、前記チャンネルブラシを前記台座に巻き付けた後、前記止め金具にて固定されてあるものである。
【０００５】
（２）上記（１）記載の洗浄ブラシにおいて、前記チャンネルブラシのブラシに、複数のスリットを有する平板状の織布あるいは不織布が使用されてあるものである。
【０００６】
（３）上記（１）記載の洗浄ブラシにおいて、前記チャンネルブラシのブラシに、中空の概円筒形状、概円錐形状、概角筒形状、あるいは概角錐形状に形成された織布あるいは不織布が使用されてあるものである。
【０００７】
（４）上記（１）あるいは（２）記載の洗浄ブラシにおいて、前記チャンネルブラシのブラシに、重ね合わせて折り込んだ平板状の織布あるいは不織布が使用されてあるものである。
【０００８】
（５）上記（１）から（４）記載の洗浄ブラシにおいて、前記チャンネルブラシのブラシに、織布あるいは不織布が使用されてあると共に、天然樹脂発泡体、合成樹脂発泡体、編物、天然繊維、化学繊維、天然樹脂、合成樹脂、天然ゴム、合成ゴム、ゲル材、フィルム材、メッシュ材の内、少なくとも１種類以上の前記材質が使用されてあるものである。
【０００９】
【発明の実施の形態】
実施の形態１
図１から図５にて実施の形態１を示す。図１は、本発明の洗浄ブラシを洗車ブラシとして使用した形態を前面側から見た斜視図である。図１において、１は洗浄ブラシ、２は台座、３はチャンネルブラシ、４はブラシ、５は止め金具、６は爪、７はネジである。図２は、図１に使用したチャンネルブラシを前面側から見た斜視図である。図２において、８は鋼板、２９は鋼線である。図３は、図１に使用した台座及び止め金具を前面側から見た斜視図である。図４は、チャンネルブラシの製造方法を、前面側から見た斜視図である。図４において、９は横ロール、１０は基台、１９は縦ロールである。図５は、チャンネルブラシを台座に巻き付けた状態を前面側から見た斜視図である。
【００１０】
洗浄ブラシ１は、図１の如く、台座２、チャンネルブラシ３、及び止め金具５より構成されてある。台座２は、略円筒形状からなり、外周の両端部には図３の如く、爪６を有する止め金具５が、台座２にたいしてネジ７にて組みつけられて形成されてある。台座２の外周には、チャンネルブラシ３が形成されてあり、チャンネルブラシ３は、止め金具５に形成された爪６を折り込む事により、固定されてある。
【００１１】
次に、洗浄ブラシ１の製造手順を、図４、図５にて説明する。まず、図４の如く、断面がコの字型の長尺の鋼板８にたいして、平板状の織布あるいは不織布からなる長尺のブラシ４の中央部が直交するように、鋼板８の上部に設置し、縦ロール１９を使用して、鋼線２９にてブラシ４を挟み付けると共に、鋼線２９を鋼板８のコの字型の内部に押し込む。次に、鋼板８の両側に形成された横ロール９を使用して、鋼板８を両側から、かしめる。その結果、中央部が鋼板８と鋼線２９に挟み付けられて、折り込まれたブラシ４を有するチャンネルブラシ３が形成される。その後、図５の如く、チャンネルブラシ３に形成されてある鋼板８を、台座２の外周にたいして巻き付けた後、止め金具５にて固定する。
【００１２】
実施の形態１の洗浄ブラシ１は、上記の如くの構成となっているので、平板状の織布あるいは不織布が、台座２の外周にたいして、連続的に形成される。その為、使用時には、平板状の織布あるいは不織布からなるブラシ４を、被洗浄面にたいして連続的に接触させることができる。その為、洗浄ムラが発生する事が無く、短時間にて洗浄する事ができると共に、高い洗浄力を発揮できる。また、洗浄ブラシ１は、上記の如く、チャンネルブラシ３を、台座２の外周にたいして巻き付けた後、止め金具５にて固定する製造方法を採用している為、迅速に製造することができる。
【００１３】
実施の形態１の洗浄ブラシ１は、上記の如くの構成となっているが、台座の形状、ブラシの形状、チャンネルブラシの固定方法等の詳細構造は、使用する目的に応じて、適時、最適になるように設定しても、何ら支障は無い。また、本発明の実施の形態においては、洗浄ブラシは洗車ブラシとして使用されてあるが、例えば、電車の外壁面用あるいは航空機の外壁面用の洗浄ブラシに転用したり、路面清掃用及び洗浄用の洗浄ブラシに転用したり、高層ビルの壁面洗浄用の洗浄ブラシに転用したり、台座の一端を概取っ手形状とし、一般家庭用の洗浄ブラシに転用しても、何ら支障は無い。
【００１４】
次に、図６にて実施の形態１の他の実施例を示す。図６は、実施の形態１の他の実施例のブラシを前面側から見た斜視図である。図６において、１４はブラシ、１６は長辺、１７は短辺、２０は波形凹凸部である。
【００１５】
ブラシ１４は、図６の如く、長辺１６にたいして平行になるよう、波形凹凸部２０が形成されてある。また、ブラシ１４は、長尺形状に形成されてある。材質には、織布あるいは不織布が使用されてある。ブラシ１４は、前記実施の形態１と同様の製造方法を採用する事により、波形凹凸部２０を有する長尺形状の織布あるいは不織布が、台座２の外周にたいして、連続的に形成される。
【００１６】
実施の形態１の他の実施例のブラシ１４は、上記の如くの構成となっているので、波形凹凸部２０を有する長尺形状の織布あるいは不織布が、台座２の外周にたいして、連続的に形成される。その為、使用時には、波形凹凸部２０を有する長尺形状の織布あるいは不織布からなるブラシ１４を、被洗浄面にたいして、長辺１６が直交するよう、連続的に接触させることができる。その為、被洗浄面にたいして、強く接触させる事ができると共に、ブラシ１４の腰を、強くする事ができる。また、ブラシ１４が折れる事による洗浄力の低下を、防止できる。さらにまた、洗浄ムラが発生する事が無く、短時間にて洗浄する事ができると共に、高い洗浄力を発揮できる。
【００１７】
実施の形態１の他の実施例のブラシ１４は、上記の如くの構成となっているが、波形凹凸部２０の形成状態については、例えば、長辺１６にたいして所定の傾斜角度を有するように波形凹凸部２０を形成する等、使用する目的に応じて、適時、最適になるように設定しても、何ら支障は無い。
【００１８】
実施の形態２
図７から図９にて実施の形態２を示す。図７は、本発明の洗浄ブラシを洗車ブラシとして使用した形態を前面側から見た斜視図である。図７において、１１は洗浄ブラシ、１２は台座、１３はチャンネルブラシ、１５は止め金具、２４はブラシである。図８は、図７に使用したブラシを前面側から見た斜視図である。図８において、２５は中央部、２６は長辺、２７は短辺、２８は切欠き、３０はスリットである。図９は、チャンネルブラシの製造方法を前面側から見た斜視図である。図９において、８は鋼板、９は横ロール、１０は基台、１９は縦ロール、２９は鋼線である。
【００１９】
洗浄ブラシ１１は、図７の如く、台座１２、チャンネルブラシ１３、及び止め金具１５より構成されてある。台座１２は、略円筒形状からなり、外周には、チャンネルブラシ１３が形成されてあり、チャンネルブラシ１３は、止め金具１５により、固定されてある。チャンネルブラシ１３にはブラシ２４が形成されてあり、ブラシ２４は、図８の如く、長辺２６及び短辺２７からなる平板状の長尺形状にて形成されてあり、材質には織布あるいは不織布が使用されてある。また、ブラシ２４は、複数のスリット３０が、長辺２６に平行になるように、両側に形成されてある。中央部２５の両側には、切欠き２８が形成されてある。
【００２０】
次に、洗浄ブラシ１１の製造手順を図９にて説明する。まず、図９の如く、断面がコの字型の長尺の鋼板８にたいして、ブラシ２４の中央部２５を、鋼板８の上部に設置し、縦ロール１９を使用して、鋼線２９にてブラシ２４を挟み付けると共に、鋼線２９を鋼板８のコの字型の内部に押し込む。次に、鋼板８の両側に形成された横ロール９を使用して、鋼板８を両側から、かしめる。その結果、中央部２５が鋼板８と鋼線２９に挟み付けられて、折り込まれたブラシ２４を有するチャンネルブラシ１３が形成される。その後、チャンネルブラシ１３に形成されてある鋼板８を、台座１２の外周にたいして巻き付けた後、止め金具１５にて固定される事により、図７の如くの洗浄ブラシ１１が形成される。
【００２１】
実施の形態２の洗浄ブラシ１１は、上記の如くの構成となっているので、複数のスリット３０を有するブラシ２４が、台座１２の外周にたいして、連続的に形成される。その為、複数のスリット３０を有する織布あるいは不織布からなるブラシ２４を、被洗浄面にたいして連続的に接触させることができる。その為、洗浄ムラが発生する事が無く、短時間にて洗浄する事ができると共に、高い洗浄力を発揮できる。また、洗浄ブラシ１１は、上記の如く、チャンネルブラシ１３を台座１２の外周にたいして巻き付けた後、止め金具１５にて固定する製造方法を採用している為、迅速に製造することができる。また、ブラシ２４は、複数のスリット３０を有する平板状の長尺形状から形成されてある為、鋼板８の上部に設置する事が簡単にでき、製造時の手間を大幅に削減できる。さらにまた、ブラシ２４の中央部２５の両側には切欠き２８が形成されてある為、ブラシ２４を、鋼板８の上部にたいして正確に設置する事ができる。
【００２２】
実施の形態２の洗浄ブラシ１１は、上記の如くの構成となっているが、ブラシ２４の形状については、例えば、長辺２６を幅方向とし、短辺２７を長手方向とする概連続短冊形状を形成するように製作した後、折り込まれたブラシ２４を有するチャンネルブラシ１３を、連続的に製造する等、使用する目的に応じて、適時、最適になるように設定しても、何ら支障は無い。
【００２３】
次に、図１０にて実施の形態２の他の実施例を示す。図１０は、実施の形態２の他の実施例のブラシを前面側から見た斜視図である。図１０において、３４はブラシ、３５は中央部、３６は長辺、３７は短辺、３８は切欠き、３９は波形凹凸部、４０はスリットである。
【００２４】
ブラシ３４は、図１０の如く、長辺３６にたいして平行になるよう、波形凹凸部３９及び複数のスリット４０が形成されてある。また、ブラシ３４は、長尺形状に形成されてある。材質には、織布あるいは不織布が使用されてある。ブラシ３４は、前記実施の形態２と同様の製造方法を採用する事により、波形凹凸部３９及び複数のスリット４０を有する長尺形状の織布あるいは不織布が、台座１２の外周にたいして、連続的に形成される。
【００２５】
実施の形態２の他の実施例のブラシ３４は、上記の如くの構成となっているので、波形凹凸部３９及び複数のスリット４０を有する長尺形状の織布あるいは不織布が、台座１２の外周にたいして連続的に形成される。その為、使用時には、波形凹凸部３９及び複数のスリット４０を有する長尺形状の織布あるいは不織布からなるブラシ３４を、被洗浄面にたいして、長辺３６が直交するよう、連続的に接触させることができる。その為、被洗浄面にたいして、強く接触させる事ができると共に、ブラシ３４の腰を、強くする事ができる。また、ブラシ３４が折れる事による洗浄力の低下を防止できる。また、洗浄ムラが発生する事が無く、短時間にて洗浄する事ができると共に、高い洗浄力を発揮できる。さらにまた、ブラシ３４は、複数のスリット４０を有する長尺形状から形成されてある為、鋼板８の上部に設置する事が簡単にでき、製造時の手間を大幅に削減できる。
【００２６】
実施の形態２の他の実施例のブラシ３４は上記の如くの構成となっているが、波形凹凸部３９の形成状態については、例えば、長辺３６にたいして所定の傾斜角度を有するように波形凹凸部３９を形成する等、使用する目的に応じて、適時、最適になるように設定しても、何ら支障は無い。
【００２７】
実施の形態３
図１１から図１３にて実施の形態３を示す。図１１は、本発明の洗浄ブラシを洗車ブラシとして使用した形態を、前面側から見た斜視図である。図１１において、２１は洗浄ブラシ、２２は台座、２３はチャンネルブラシ、４４はブラシ、４５は止め金具である。図１２は、図１１に使用したブラシを前面側から見た斜視図である。図１２において、４９は端部である。図１３は、チャンネルブラシの製造方法を前面側から見た斜視図である。図１３において、８は鋼板、９は横ロール、１０は基台、１９は縦ロール、２９は鋼線である。
【００２８】
洗浄ブラシ２１は、図１１の如く、台座２２、チャンネルブラシ２３、及び止め金具４５より構成されてある。台座２２は、略円筒形状からなり、外周には、チャンネルブラシ２３が形成されてあり、チャンネルブラシ２３は、止め金具４５により、固定されてある。チャンネルブラシ２３にはブラシ４４が形成されてあり、ブラシ４４は、図１２の如く、中空の概円筒形状に形成されてあり、材質には織布あるいは不織布が使用されてある。また、ブラシ４４の両側には、端部４９が形成されてある。ブラシ４４の製作方法は、インフレーション成形等を使用して、継ぎ目なく、一体的かつ連続的に形成した後、端部４９を形成するように所定の長さに切断して製作するか、概長方形状の平板状に切断後、中空の概円筒形状に形成されるように溶着、接着あるいは縫製することにより製作するか、あるいは、所定幅の原反を、連続的に中空の概円筒形状に形成されるように溶着、接着あるいは縫製した後、端部４９を形成するように所定の長さに切断して製作する方法が、採用されてある。
【００２９】
次に、洗浄ブラシ２１の製造手順を、図１３にて説明する。まず、図１３の如く、断面がコの字型の長尺の鋼板８にたいして、複数のブラシ４４の端部４９を揃えるようにして、鋼板８の上部に設置し、縦ロール１９を使用して、鋼線２９にてブラシ４４を挟み付けると共に、鋼線２９を鋼板８のコの字型の内部に押し込む。次に、鋼板８の両側に形成された横ロール９を使用して、鋼板８を両側から、かしめる。その結果、ブラシ４４が鋼板８と鋼線２９に挟み付けられて、折り込まれたブラシ４４を有するチャンネルブラシ２３が形成される。その後、チャンネルブラシ２３に形成されてある鋼板８を、台座２２の外周にたいして巻き付けた後、止め金具４５にて固定される事により、図１１の如くの洗浄ブラシ２１が形成される。ブラシ４４を鋼板８の上部に設置する時に、ブラシ４４の長手方向の中央部を鋼板８の上部に設置した時には、折り込まれたブラシ４４の毛丈が同じになり、ブラシ４４の長手方向の中央部から所定距離だけ移動させて鋼板８の上部に設置した時には、折り込まれたブラシ４４の毛丈は異なり、段差が形成される。
【００３０】
実施の形態３の洗浄ブラシ２１は、上記の如くの構成となっているので、中空の概円筒形状に形成されてある複数のブラシ４４が、台座２２の外周にたいして連続的に形成される。その為、端部４９を有する概円筒形状の織布あるいは不織布からなるブラシ４４を、被洗浄面にたいして、概円筒形状面を、連続的に接触させることができる。その為、被洗浄面を傷つけたり、洗浄ムラが発生する事が無く、短時間にて洗浄する事ができると共に、高い洗浄力を発揮できる。ブラシ４４の毛丈に段差が形成されるように、洗浄ブラシ２１が形成されてある場合には、被洗浄面にたいして、異なる押し付け力にて連続的に接触させることができる為、より高い洗浄力を発揮できる。また、洗浄ブラシ２１は、上記の如く、チャンネルブラシ２３を台座２２の外周にたいして巻き付けた後、止め金具４５にて固定する製造方法を採用している為、迅速に製造することができる。
【００３１】
実施の形態３の洗浄ブラシ２１は、上記の如くの構成となっているが、ブラシ４４の形状については、例えば、前記請求項に記載の如く、ブラシ４４の両側に形成されてある端部４９の大きさが異なるような中空の円錐形状を採用したり、例えば、ナス型あるいはひょうたん型に形成されるよう、不連続的に形状を変化させて製作したり、中央部から両側の端部４９に向けて、概ラッパ状に広がるような形状に製作する等、使用する目的に応じて、適時、最適になるように設定しても、何ら支障は無い。また、端部４９の断面形状についても、円形状のみならず楕円形状、直線及び円弧の組合せ形状等、使用する目的に応じて、適時、最適になるように設定しても、何ら支障は無い。
【００３２】
次に、図１４にて実施の形態３の他の実施例を示す。図１４は、実施の形態３の他の実施例のブラシを前面側から見た斜視図である。図１４において、５４はブラシ、５９は端部である。
【００３３】
ブラシ５４は、中空の概三角筒形状に形成されてあり、材質には織布あるいは不織布が使用されてある。また、ブラシ５４の両側には、端部５９が形成されてある。ブラシ５４の製作方法は、インフレーション成形等を使用して、継ぎ目なく、一体的かつ連続的に形成した後、端部５９を形成するように所定の長さに切断して製作するか、概長方形状の平板状に切断後、中空の概三角筒形状に形成されるように溶着、接着あるいは縫製することにより製作するか、あるいは、所定幅の原反を、連続的に中空の概三角筒形状に形成されるように溶着、接着あるいは縫製した後、端部５９を形成するように所定の長さに切断して製作する方法が採用されてある。また、ブラシ５４は、前記実施の形態３と同様の製造方法を採用する事により、中空の概三角筒形状を有する織布あるいは不織布が、台座２２の外周にたいして、連続的に形成される。
【００３４】
実施の形態３の他の実施例のブラシは、上記の如くの構成となっているので、中空の概三角筒形状に形成されてある複数のブラシ５４が、台座２２の外周にたいして連続的に形成される。その為、端部５９を有する概三角筒形状の織布あるいは不織布からなるブラシ５４を、被洗浄面にたいして、概三角筒形状面を、連続的に接触させることができる。その為、洗浄ムラが発生する事が無く、短時間にて洗浄する事ができると共に、中空の概三角筒形状が毛倒れを防止する事により、高い洗浄力を発揮できる。
【００３５】
実施の形態３の他の実施例のブラシは、上記の如くの構成となっているが、ブラシ５４の形状については、例えば、前記請求項に記載の如く、ブラシ５４の両側に形成されてある端部５９の大きさが異なるような中空の三角錐形状を採用する等、使用する目的に応じて、適時、最適になるように設定しても、何ら支障は無い。また、概角筒形状あるいは概角錐形状についても、三角以外にも、四角、五角、六角等、使用する目的に応じて、適時、最適になるように設定しても、何ら支障は無い。
【００３６】
実施の形態４
図１５から図２１にて実施の形態４を示す。図１５は、本発明の洗浄ブラシを洗車ブラシとして使用した形態を前面側から見た斜視図である。図１５において３１は洗浄ブラシ、３２は台座、３３はチャンネルブラシ、６４はブラシ、５５は止め金具である。図１６は、図１５に使用したブラシを前面側から見た斜視図である。図１６において、６９は端部である。図１７は、チャンネルブラシの製造方法を前面側から見た斜視図である。図１７において、８は鋼板、９は横ロール、１０は基台、１９は縦ロール、２９は鋼線である。図１８から図２１は、ブラシの他の実施例の断面図である。図１８から図２１において、７４、８４、９４、９５はブラシである。
【００３７】
洗浄ブラシ３１は、図１５の如く、台座３２、チャンネルブラシ３３、及び止め金具５５より構成されてある。台座３２は、略円筒形状からなり、外周には、チャンネルブラシ３３が形成されてあり、チャンネルブラシ３３は、止め金具５５により、固定されてある。チャンネルブラシ３３にはブラシ６４が形成されてあり、ブラシ６４は、図１６の如く、重ね合わせて折り込んだ平板状に形成されてあり、材質には織布あるいは不織布が使用されてある。また、ブラシ６４の両側には、端部６９が形成されてある。ブラシ６４の製作方法は、概長方形状の平板状に切断後、折り込んだ平板状に形成されるように、重ね合わせた後、加熱による部分溶着、部分接着あるいは縫製することにより製作するか、あるいは、所定幅の原反を、連続的に折り込んだ平板状に形成されるように重ね合わせた後、加熱による部分溶着、部分接着あるいは縫製した後、端部６９を形成するように所定の長さに切断して製作する方法が、採用されてある。また、所定幅の原反を、連続的に折り込んだ平板状に形成されるように重ね合わせた後、原反に蒸気を当てながら加圧させて製作する方法を採用する事もある。
【００３８】
次に、洗浄ブラシ３１の製造手順を、図１７にて説明する。まず、図１７の如く、断面がコの字型の長尺の鋼板８にたいして、複数のブラシ６４の端部６９を揃えるようにして、鋼板８の上部に設置し、縦ロール１９を使用して、鋼線２９にてブラシ６４を挟み付けると共に、鋼線２９を鋼板８のコの字型の内部に押し込む。次に、鋼板８の両側に形成された横ロール９を使用して、鋼板８を両側から、かしめる。その結果、ブラシ６４が鋼板８と鋼線２９に挟み付けられて、折り込まれたブラシ６４を有するチャンネルブラシ３３が形成される。その後、チャンネルブラシ３３に形成されてある鋼板８を、台座３２の外周にたいして巻き付けた後、止め金具５５にて固定される事により、図１５の如くの洗浄ブラシ３１が形成される。ブラシ６４を鋼板８の上部に設置する時に、ブラシ６４の長手方向の中央部を鋼板８の上部に設置した時には、折り込まれたブラシ６４の毛丈が同じになり、ブラシ６４の長手方向の中央部から所定距離だけ移動させて鋼板８の上部に設置した時には、折り込まれたブラシ６４の毛丈は異なり、段差が形成される。
【００３９】
実施の形態４の洗浄ブラシ３１は、上記の如くの構成となっているので、重ね合わせて折り込んだ平板状に形成されてある複数のブラシ６４が、台座３２の外周にたいして連続的に形成される。その為、端部６９を有する重ね合わせて折り込んだ平板状に形成されてある織布あるいは不織布からなるブラシ６４を、被洗浄面にたいして、連続的に接触させることができる。その為、洗浄ムラが発生する事が無く、短時間にて洗浄する事ができると共に、重ね合わせて折り込んだ平板状により、毛腰を強くすることができる為、高い洗浄力を発揮できる。ブラシ６４の毛丈に段差が形成されるように、洗浄ブラシ３１が形成されてある場合には、被洗浄面にたいして、異なる押し付け力にて連続的に接触させることができる為、より高い洗浄力を発揮できる。また、洗浄ブラシ３１は、上記の如く、チャンネルブラシ３３を台座３２の外周にたいして巻き付けた後、止め金具５５にて固定する製造方法を採用している為、迅速に製造することができる。
【００４０】
実施の形態４の洗浄ブラシ３１は、上記の如くの構成となっているが、ブラシの形状については、例えば図１８から図２１の如く、ブラシの両側に形成されてある端部の形状を、図１８の如くの概渦巻き形状、図１９の如くの概Ｓ字形状、図２０の如くの概Ｕ字形状、あるいは図２１の如くの概Ｗ字形状を形成するように製作する等、使用する目的に応じて、適時、最適になるように設定しても、何ら支障は無い。
【００４１】
実施の形態５
図２２から図２３にて実施の形態５を示す。図２２は、本発明の洗浄ブラシを洗車ブラシとして使用した形態を、前面側から見た斜視図である。図２２において、４１は洗浄ブラシ、４２は台座、４３はチャンネルブラシ、６５は止め金具、９６、９７はブラシである。図２３は、図２２に使用したチャンネルブラシの断面図である。図２３において、８は鋼板、２９は鋼線、７９、８９は、端部である。
【００４２】
洗浄ブラシ４１は、図２２の如く、台座４２、チャンネルブラシ４３、及び止め金具６５より構成されてある。台座４２は、略円筒形状からなり、外周には、チャンネルブラシ４３が形成されてあり、チャンネルブラシ４３は、止め金具６５により、固定されてある。チャンネルブラシ４３にはブラシ９６、９７が形成されてある。ブラシ９６の材質には、織布あるいは不織布が使用されてある。また、ブラシ９７の材質には、合成樹脂発泡体が使用されてある。チャンネルブラシ４３は、図２３の如く、ブラシ９６がブラシ９７の内側に形成されてあると共に、ブラシ９６の毛丈がブラシ９７の毛丈よりも高くなるよう重ね合わせた後、折り込まれて形成されてある。
【００４３】
実施の形態５の洗浄ブラシ４１は、上記の如くの構成となっているので、ブラシ９６がブラシ９７の内側に形成されてあると共に、ブラシ９６の毛丈がブラシ９７の毛丈よりも高くなるよう、台座４２の外周にたいして連続的に形成されてある。その為、材質に織布あるいは不織布が使用されてあるブラシ９６は、材質に合成樹脂発泡体が使用されてあるブラシ９７よりも毛丈が高く形成されて、被洗浄面にたいして、連続的に接触させることができる。その為、材質に織布あるいは不織布が使用されてあるブラシ９６がブラシ９７よりも先に、被洗浄面に接触する事により、洗浄ムラが発生する事が無く、高い洗浄力を発揮できる。また、洗浄ブラシ４１は、ブラシ９６がブラシ９７の内側に形成されるように折り込まれてある為、ブラシ９６の毛腰を強くすることができる為、より高い洗浄力を発揮できる。さらにまた、材質に合成樹脂発泡体が使用されてあるブラシ９７を、被洗浄面に接触させる事ができる為、洗浄ブラシ４１の耐摩耗性を向上させる事ができる。
【００４４】
実施の形態５の洗浄ブラシ４１は、上記の如くの構成となっているが、ブラシの材質については、前記請求項に記載の如く、合成樹脂発泡体の他にも、例えば、天然樹脂発泡体、編物、天然繊維、化学繊維、天然樹脂、合成樹脂、天然ゴム、合成ゴム、ゲル材、フィルム材、メッシュ材の内から、使用する目的に応じて、適時、最適になるように選択しても、何ら支障は無い。
【００４５】
【発明の効果】
以上の説明から明らかなように、本発明の洗浄ブラシは次に示すような効果を得ることができる。なお、説明にあたっては、請求項の番号と同じ番号を付して説明する。
【００４６】
（１）平板状の織布あるいは不織布が、台座の外周にたいして、連続的に形成される。その為、使用時には、平板状の織布あるいは不織布からなるブラシを、被洗浄面にたいして連続的に接触させることができる。その為、洗浄ムラが発生する事が無く、短時間にて洗浄する事ができると共に、高い洗浄力を発揮できる。また、洗浄ブラシは、上記の如く、チャンネルブラシを、台座の外周にたいして巻き付けた後、止め金具にて固定する製造方法を採用している為、迅速に製造することができる。
【００４７】
また、波形凹凸部を有する長尺形状の織布あるいは不織布からなるブラシが使用されてある場合においては、波形凹凸部を有する長尺形状の織布あるいは不織布が、台座の外周にたいして、連続的に形成される。その為、使用時には、波形凹凸部を有する長尺形状の織布あるいは不織布からなるブラシを、被洗浄面にたいして、長辺が直交するよう、連続的に接触させることができる。その為、被洗浄面にたいして、強く接触させる事ができると共に、ブラシの腰を、強くする事ができる。また、ブラシが折れる事による洗浄力の低下を、防止できる。さらにまた、洗浄ムラが発生する事が無く、短時間にて洗浄する事ができると共に、高い洗浄力を発揮できる。
【００４８】
（２）複数のスリットを有するブラシが、台座の外周にたいして、連続的に形成される。その為、複数のスリットを有する織布あるいは不織布からなるブラシを、被洗浄面にたいして連続的に接触させることができる。その為、洗浄ムラが発生する事が無く、短時間にて洗浄する事ができると共に、高い洗浄力を発揮できる。また、洗浄ブラシは、上記の如く、チャンネルブラシを台座の外周にたいして巻き付けた後、止め金具にて固定する製造方法を採用している為、迅速に製造することができる。また、ブラシは、複数のスリットを有する平板状の長尺形状から形成されてある為、鋼板の上部に設置する事が簡単にでき、製造時の手間を大幅に削減できる。さらにまた、ブラシの中央部の両側には切欠きが形成されてある為、ブラシを、鋼板の上部にたいして正確に設置する事ができる。
【００４９】
また、長辺にたいして平行になるよう、波形凹凸部及び複数のスリットが形成されてある長尺形状の織布あるいは不織布からなるブラシが使用されてある場合においては、波形凹凸部及び複数のスリットを有する長尺形状の織布あるいは不織布が、台座の外周にたいして、連続的に形成される。その為、使用時には、波形凹凸部及び複数のスリットを有する長尺形状の織布あるいは不織布からなるブラシを被洗浄面にたいして、長辺が直交するよう、連続的に接触させることができる。その為、被洗浄面にたいして、強く接触させる事ができると共に、ブラシの腰を、強くする事ができる。また、ブラシが折れる事による洗浄力の低下を、防止できる。また、洗浄ムラが発生する事が無く、短時間にて洗浄する事ができると共に、高い洗浄力を発揮できる。さらにまた、ブラシは、複数のスリットを有する長尺形状から形成されてある為、鋼板の上部に設置する事が簡単にでき、製造時の手間を大幅に削減できる。
【００５０】
（３）中空の概円筒形状に形成されてある複数のブラシが、台座の外周にたいして連続的に形成される。その為、端部を有する概円筒形状の織布あるいは不織布からなるブラシを、被洗浄面にたいして、概円筒形状面を、連続的に接触させることができる。その為、被洗浄面を傷つけたり、洗浄ムラが発生する事が無く、短時間にて洗浄する事ができると共に、高い洗浄力を発揮できる。ブラシの毛丈に段差が形成されるように、洗浄ブラシが形成されてある場合には、被洗浄面にたいして、異なる押し付け力にて連続的に接触させることができる為、より高い洗浄力を発揮できる。また、洗浄ブラシは、上記の如く、チャンネルブラシを台座の外周にたいして巻き付けた後、止め金具にて固定する製造方法を採用している為、迅速に製造することができる。
【００５１】
また、中空の概三角筒形状に形成されてあり、材質に織布あるいは不織布が使用されてあるブラシが使用されてある場合においては、中空の概三角筒形状に形成されてある複数のブラシが、台座の外周にたいして連続的に形成される。その為、端部を有する概三角筒形状の織布あるいは不織布からなるブラシを、被洗浄面にたいして、概三角筒形状面を、連続的に接触させることができる。その為、洗浄ムラが発生する事が無く、短時間にて洗浄する事ができると共に、中空の概三角筒形状が毛倒れを防止する事により、高い洗浄力を発揮できる。
【００５２】
（４）重ね合わせて折り込んだ平板状に形成されてある複数のブラシが、台座の外周にたいして連続的に形成される。その為、端部を有する重ね合わせて折り込んだ平板状に形成されてある織布あるいは不織布からなるブラシを、被洗浄面にたいして、連続的に接触させることができる。その為、洗浄ムラが発生する事が無く、短時間にて洗浄する事ができると共に、重ね合わせて折り込んだ平板状により、毛腰を強くすることができる為、高い洗浄力を発揮できる。ブラシの毛丈に段差が形成されるように、洗浄ブラシが形成されてある場合には、被洗浄面にたいして、異なる押し付け力にて連続的に接触させることができる為、より高い洗浄力を発揮できる。また、洗浄ブラシは、上記の如く、チャンネルブラシを台座の外周にたいして巻き付けた後、止め金具にて固定する製造方法を採用している為、迅速に製造することができる。
【００５３】
（５）材質に織布あるいは不織布が使用されてあるブラシが、材質に合成樹脂発泡体が使用されてあるブラシの内側に形成されると共に、材質に織布あるいは不織布が使用されてあるブラシの毛丈が、材質に合成樹脂発泡体が使用されてあるブラシの毛丈よりも高くなるよう、台座の外周にたいして、連続的に形成される。その為、材質に織布あるいは不織布が使用されてあるブラシは、材質に合成樹脂発泡体が使用されてあるブラシよりも毛丈が高く形成されて、被洗浄面にたいして、連続的に接触させることができる。その為、材質に織布あるいは不織布が使用されてあるブラシが、材質に合成樹脂発泡体が使用されてあるブラシよりも先に、被洗浄面に接触する事により、洗浄ムラが発生する事が無く、高い洗浄力を発揮できる。また、洗浄ブラシは、材質に織布あるいは不織布が使用されてあるブラシが、材質に合成樹脂発泡体が使用されてあるブラシの内側に形成されるように折り込まれてある為、ブラシの毛腰を強くすることができ、より高い洗浄力を発揮できる。さらにまた、材質に合成樹脂発泡体が使用されてあるブラシを、被洗浄面に接触させる事ができる為、洗浄ブラシの耐摩耗性を、向上させる事ができる。
【図面の簡単な説明】
【図１】本発明の洗浄ブラシを洗車ブラシとして使用した形態を前面側から見た斜視図である。
【図２】図１に使用したチャンネルブラシを前面側から見た斜視図である。
【図３】図１に使用した台座及び止め金具を前面側から見た斜視図である。
【図４】チャンネルブラシの製造方法を前面側から見た斜視図である。
【図５】チャンネルブラシを台座に巻き付けた状態を前面側から見た斜視図である。
【図６】実施の形態１の他の実施例のブラシを前面側から見た斜視図である。
【図７】本発明の洗浄ブラシを洗車ブラシとして使用した形態を前面側から見た斜視図である。
【図８】図７に使用したブラシを前面側から見た斜視図である。
【図９】チャンネルブラシの製造方法を前面側から見た斜視図である。
【図１０】実施の形態２の他の実施例のブラシを前面側から見た斜視図である。
【図１１】本発明の洗浄ブラシを洗車ブラシとして使用した形態を前面側から見た斜視図である。
【図１２】図１１に使用したブラシを前面側から見た斜視図である。
【図１３】チャンネルブラシの製造方法を前面側から見た斜視図である。
【図１４】実施の形態３の他の実施例のブラシを前面側から見た斜視図である。
【図１５】本発明の洗浄ブラシを洗車ブラシとして使用した形態を前面側から見た斜視図である。
【図１６】図１５に使用したブラシを前面側から見た斜視図である。
【図１７】チャンネルブラシの製造方法を前面側から見た斜視図である。
【図１８】ブラシの他の実施例の断面図である。
【図１９】ブラシの他の実施例の断面図である。
【図２０】ブラシの他の実施例の断面図である。
【図２１】ブラシの他の実施例の断面図である。
【図２２】本発明の洗浄ブラシを洗車ブラシとして使用した形態を前面側から見た斜視図である。
【図２３】図２２に使用したチャンネルブラシの断面図である。
【符号の説明】
１、１１、２１、３１、４１  洗浄ブラシ
２、１２、２２、３２、４２  台座
３、１３、２３、３３、４３  チャンネルブラシ
４、１４、２４、３４、４４、５４、６４、７４、８４、９４、９５、９６、９７  ブラシ
５、１５、４５、５５、６５  止め金具  ６  爪  ７  ネジ
８  鋼板  ９  横ロール  １０  基台  １６、２６、３６  長辺
１７、２７、３７  短辺  １９  縦ロール  ２０、３９  波形凹凸部
２５、３５  中央部  ２８、３８  切欠き  ２９  鋼線
３０、４０  スリット  ４９、５９、６９、７９、８９  端部
【図１】
2004321748.tif 000003
【図２】
2004321748.tif 000004
【図３】
2004321748.tif 000005
【図４】
2004321748.tif 000006
【図５】
2004321748.tif 000007
【図６】
2004321748.tif 000008
【図７】
2004321748.tif 000009
【図８】
2004321748.tif 000010
【図９】
2004321748.tif 000011
【図１０】
2004321748.tif 000012
【図１１】
2004321748.tif 000013
【図１２】
2004321748.tif 000014
【図１３】
2004321748.tif 000015
【図１４】
2004321748.tif 000016
【図１５】
2004321748.tif 000017
【図１６】
2004321748.tif 000018
【図１７】
2004321748.tif 000019
【図１８】
2004321748.tif 000020
【図１９】
2004321748.tif 000021
【図２０】
2004321748.tif 000022
【図２１】
2004321748.tif 000023
【図２２】
2004321748.tif 000024
【図２３】
2004321748.tif 000025